(57)【要約】【課題】  インシュレータ本体部へインシュレータカバー部との間で挟み付けられて固定保持される電気接続端子の保持部をレーザにより溶着固定する際に位置ずれ無く安定して容易に溶着固定し得る小型構造のコネクタを提供すること。【解決手段】  このコネクタの場合、インシュレータ本体部３へインシュレータカバー部１との間で挟み付けられて固定保持される各電気接続端子２における保持部２ａにあってのインシュレータカバー部１に対する装着部分の近傍に対し、レーザによる溶着固定時にインシュレータカバー部１と当接してインシュレータカバー部１を位置決めすると共に、インシュレータ本体部３の延在方向周りの回転を防止するための位置決め片２ｅが一体的に設けられているため、溶着固定後にはインシュレータカバー部１及び各電気接続端子２が位置ずれを起こすこと無く強固にインシュレータ本体部３に固定される。【選択図】  図１
2005243460.tif 000002
【特許請求の範囲】
【請求項１】
一軸方向に延びた絶縁性のインシュレータ本体部と、前記インシュレータ本体部に装着されて固定保持される保持部、並びに該保持部から該一軸方向と垂直な方向に延びて相手側の電気接続部との接続に供される接続部を一体的に有する導電性の電気接続端子と、前記インシュレータ本体部に装着された状態の前記電気接続端子における前記保持部を該インシュレータ本体部との間で挟み付けることにより該保持部に対するレーザによる溶着固定を行うための一軸方向に延びた絶縁性のインシュレータカバー部とを備えたコネクタにおいて、前記電気接続端子における前記保持部にあっての前記インシュレータカバー部に対する装着部分の近傍には、前記レーザによる溶着固定時に該インシュレータカバー部と当接して該インシュレータカバー部を位置決めすると共に、前記一軸方向周りの回転を防止するための位置決め片が一体的に設けられたことを特徴とするコネクタ。
【請求項２】
請求項１記載のコネクタにおいて、前記電気接続端子は、前記保持部が前記インシュレータ本体部に対して前記一軸方向に沿って並設されるように装着されて固定保持されると共に、前記接続部が該保持部からそれぞれ該一軸方向と垂直な方向に延びるように複数個のものが備えられ、前記インシュレータカバー部は、前記インシュレータ本体部に装着された状態の前記複数の電気接続端子における前記保持部をそれぞれ該インシュレータ本体部との間で纏めて挟み付けた上で該保持部を前記レーザによる溶着固定に供するものであることを特徴とするコネクタ。
【請求項３】
請求項１又は２記載のコネクタにおいて、前記位置決め片は、前記インシュレータカバー部の隣接する２面以上に当接する形状を持つことを特徴とするコネクタ。
【請求項４】
請求項１〜３の何れか一つに記載のコネクタにおいて、前記位置決め片は、前記保持部との間で協働して前記インシュレータカバー部を挟持可能な形状を持つことを特徴とするコネクタ。
【請求項５】
請求項１〜３の何れか一つに記載のコネクタにおいて、前記位置決め片は、前記保持部の前記インシュレータカバー部に対する装着部分の近傍に設けられた一対のものの間で前記インシュレータカバー部を挟持可能であることを特徴とするコネクタ。
【発明の詳細な説明】
【技術分野】
【０００１】
本発明は、主としてインシュレータ本体部に対してインシュレータカバー部との間で挟み付けられて固定保持される保持部、並びに保持部から延びて相手側の電気接続部との接続に供される接続部を一体的に有する導電性の電気接続端子（所謂コンタクトと呼ばれるもの）を備えたコネクタに関し、詳しくは電気接続端子における保持部のレーザによる溶着固定時にインシュレータ本体部及び電気接続端子を位置ずれなく溶着固定し得る構造のコネクタに関する。
【背景技術】
【０００２】
従来、この種のコネクタとしては、例えば図９に示されるような構造のもの（開発済みで製品化されているが、文献公知に係る発明でないもの）が挙げられる。即ち、図９は、係る従来のコネクタの基本構造を示した外観斜視図であり、同図（ａ）は要部（インシュレータカバー部１及び各電気接続端子２００の一つ）を分解して示した状態に関するもの，同図（ｂ）は同図（ａ）の要部における一部（インシュレータカバー部１）を分解したまま他部（各電気接続端子２００の一つ）を組み付けた状態に関するもの，同図（ｃ）は同図（ｂ）の一部を組み付けた全体の組み付け状態に関するものである。又、図１０は、このコネクタに備えられる電気接続端子２００の外観形状を示した側面図である。
【０００３】
このコネクタは、一軸方向に延びた絶縁性の断面略Ｌ字状のインシュレータ本体部３と、インシュレータ本体部３に対して一軸方向に沿って並設されるように装着されて固定保持される保持部２００ａ、並びに保持部２００ａから一軸方向と垂直な方向に延びて相手側の電気接続部との接続に供される接続部を一体的に有する導電性の複数の電気接続端子２００と、インシュレータ本体部３に装着された状態の各電気接続端子２００における保持部２００ａをそれぞれインシュレータ本体部３との間で纏めて挟み付けることにより保持部２００ａに対するレーザによる溶着固定を行うための一軸方向に延びた板状の絶縁性インシュレータカバー部１とを備えて構成される。
【０００４】
このうち、電気接続端子２００は、図１０に示されるように、インシュレータ本体部３に固定保持される保持部２００ａを有する他、保持部２００ａの一方側より屈曲されて端部がインシュレータ本体部３から露呈されるように延在して相手側の電気接続端子との接続に供される接続部２００ｂと、保持部２００ａの他方側より屈曲されてインシュレータ本体部３の外壁側の装着部分に立設するように装着される立設部を含むと共に、立設部から屈曲してインシュレータ本体部３の底面と垂直な方向に延在して基板等の導電性パターンに実装接続される実装部２００ｃと、保持部２００ａからインシュレータ本体部３の底面方向へ立設するように延在してインシュレータ本体部３の装着部分に圧入されるピン状の圧入部とを一体的に有する略鍵型の全体形状となっている。
【発明の開示】
【発明が解決しようとする課題】
【０００５】
上述したコネクタの場合、組み付け時に各電気接続端子の保持部をインシュレータ本体部に対してインシュレータカバー部との間で纏めて挟み付けてレーザにより溶着固定して固定保持する構造となっているが、このレーザによる溶着固定時にインシュレータカバー部を位置決めする部分が無いため、インシュレータカバー部により保持部を纏めて挟み付けるときの位置決めが困難となっているばかりでなく、図１１に示されるようにインシュレータ本体部３の延在方向周りへの回転（同図中の矢印Ｘ方向、並びに矢印Ｙ方向を示す）を阻止する部分が無いため、しばしばインシュレータカバー部１や電気接続端子２００が位置ずれを起こしたまま固定保持されたり、或いは電気接続端子２００が外部からの振動等やレーザによる溶着固定時の加熱による変形等でインシュレータ本体部３の延在方向周りへ回転を生じて固定保持状態がまちまちとなること（各電気接続端子２００における実装部２００ｃが矢印Ｘ方向に回転移動したり、或いは各電気接続端子２００における接続部２００ｂが矢印Ｙ方向に回転移動すること）があり、こうした場合に不良品が作製され易くて歩止まりが悪くなっている（電気接続端子２００の配備される数が多い程、局部の不良箇所の発生が問題になる）という難点がある。
【０００６】
又、このような問題は、インシュレータ本体部に対してインシュレータカバー部への位置決め部を別途に設けることにより或る程度対策できるが、こうした場合には製品全体が大きければ成形も容易であって有効であるものの、昨今の小型化が要求される高密度コネクタを作製する場合には製品全体が小さくて薄くなるに伴って成形が困難になるために適用し難いという問題がある。
【０００７】
本発明は、このような問題点を解決すべくなされたもので、その技術的課題は、インシュレータ本体部へインシュレータカバー部との間で挟み付けられて固定保持される電気接続端子の保持部をレーザにより溶着固定する際に位置ずれ無く安定して容易に溶着固定し得る小型構造のコネクタを提供することにある。
【課題を解決するための手段】
【０００８】
本発明によれば、一軸方向に延びた絶縁性のインシュレータ本体部と、インシュレータ本体部に装着されて固定保持される保持部、並びに該保持部から該一軸方向と垂直な方向に延びて相手側の電気接続部との接続に供される接続部を一体的に有する導電性の電気接続端子と、インシュレータ本体部に装着された状態の電気接続端子における保持部を該インシュレータ本体部との間で挟み付けることにより該保持部に対するレーザによる溶着固定を行うための一軸方向に延びた絶縁性のインシュレータカバー部とを備えたコネクタにおいて、電気接続端子における保持部にあってのインシュレータカバー部に対する装着部分の近傍には、レーザによる溶着固定時に該インシュレータカバー部と当接して該インシュレータカバー部を位置決めすると共に、一軸方向周りの回転を防止するための位置決め片が一体的に設けられたコネクタが得られる。
【０００９】
又、本発明によれば、上記コネクタにおいて、電気接続端子は、保持部がインシュレータ本体部に対して一軸方向に沿って並設されるように装着されて固定保持されると共に、接続部が該保持部からそれぞれ該一軸方向と垂直な方向に延びるように複数個のものが備えられ、インシュレータカバー部は、インシュレータ本体部に装着された状態の複数の電気接続端子における保持部をそれぞれ該インシュレータ本体部との間で纏めて挟み付けた上で該保持部をレーザによる溶着固定に供するものであるコネクタが得られる。
【００１０】
更に、本発明によれば、上記何れかのコネクタにおいて、位置決め片は、インシュレータカバー部の隣接する２面以上に当接する形状を持つコネクタが得られる。
【００１１】
加えて、本発明によれば、上記何れか一つのコネクタにおいて、位置決め片は、保持部との間で協働してインシュレータカバー部を挟持可能な形状を持つコネクタ、或いは位置決め片は、保持部のインシュレータカバー部に対する装着部分の近傍に設けられた一対のものの間でインシュレータカバー部を挟持可能であるコネクタが得られる。
【発明の効果】
【００１２】
本発明のコネクタの場合、インシュレータ本体部へインシュレータカバー部との間で挟み付けられて固定保持される電気接続端子における保持部のレーザによる溶着固定に際して、各電気接続端子における保持部にあってのインシュレータカバー部に対する装着部分の近傍にインシュレータカバー部と当接してインシュレータカバー部を位置決めすると共に、インシュレータ本体部の延在方向周りの回転を防止するための位置決め片を一体的に設けるようにしているため、適確に位置決めされた上でレーザによる溶着固定が安定して行われるようになり、結果として高密度で小型構造のコネクタを高精度に歩止まり良く作製できるようになる。又、位置決め片をインシュレータカバー部の隣接する２面以上に当接可能な形状を持つものとしたり、或いは保持部との間で協働してインシュレータカバー部を挟持する形状を持つものとすることにより、インシュレータ本体部に対してインシュレータカバー部への位置決め部や挟持部を別途に設ける場合よりも容易にして一層小型化を図ってインシュレータカバー部を精度良く位置決めして各電気接続端子を保持することができるようになり、溶着固定後にはインシュレータカバー部及び各電気接続端子が位置ずれを起こすこと無く強固にインシュレータ本体部に固定されるため、従来よりも低コストで機械的強度が優れ、且つ高精度で信頼性の高い小型構造の製品を容易に作製することができるようになる。
【発明を実施するための最良の形態】
【００１３】
本発明の最良の形態に係るコネクタは、一軸方向に延びた絶縁性のインシュレータ本体部と、インシュレータ本体部に装着されて固定保持される保持部、並びに保持部から一軸方向と垂直な方向に延びて相手側の電気接続部との接続に供される接続部を一体的に有する導電性の電気接続端子と、インシュレータ本体部に装着された状態の電気接続端子における保持部をインシュレータ本体部との間で挟み付けることにより保持部に対するレーザによる溶着固定を行うための一軸方向に延びた板状の絶縁性インシュレータカバー部とを備えた基本構造において、電気接続端子における保持部にあってのインシュレータカバー部に対する装着部分の近傍にレーザによる溶着固定時にインシュレータカバー部と当接してインシュレータカバー部を位置決めすると共に、一軸方向周りの回転を防止するための位置決め片を一体的に設けたものである。
【００１４】
但し、電気接続端子は、通常複数個のものがインシュレータ本体部の延在方向（一軸方向）に沿って備えられるため、こうした場合の形態として、一般的に電気接続端子は、保持部がインシュレータ本体部に対して一軸方向に沿って並設されるように装着されて固定保持されると共に、接続部が保持部からそれぞれ一軸方向と垂直な方向に延びるように複数個のものが備えられ、インシュレータカバー部は、インシュレータ本体部に装着された状態の複数の電気接続端子における保持部をそれぞれインシュレータ本体部との間で纏めて挟み付けた上で保持部をレーザによる溶着固定に供するものとなる。
【００１５】
ところで、ここでの位置決め片は、インシュレータカバー部の隣接する２面以上に当接する形状を持つものであることが好ましく、更に保持部との間で協働してインシュレータカバー部を挟持可能な形状を持つものか、或いは保持部のインシュレータカバー部に対する装着部分の近傍に設けられた一対のものの間でインシュレータカバー部を挟持可能であるものであれば望ましい。
【実施例１】
【００１６】
図１は、本発明の実施例１に係るコネクタの基本構造を示した外観斜視図であり、同図（ａ）は要部（インシュレータカバー部１及び各電気接続端子２の一つ）を分解して示した状態に関するもの，同図（ｂ）は同図（ａ）の要部における一部（インシュレータカバー部１）を分解したまま他部（各電気接続端子２の一つ）を組み付けた状態に関するもの，同図（ｃ）は同図（ｂ）の一部を組み付けた全体の組み付け状態に関するものである。又、図２は、このコネクタに備えられる電気接続端子２の外観形状を示した側面図である。
【００１７】
このコネクタの場合も、一軸方向に延びた絶縁性の断面略Ｌ字状のインシュレータ本体部３と、インシュレータ本体部３に対して一軸方向に沿って並設されるように装着されて固定保持される保持部２ａ、並びに保持部２ａから一軸方向と垂直な方向に延びて相手側の電気接続部との接続に供される接続部を一体的に有する導電性の複数の電気接続端子２と、インシュレータ本体部３に装着された状態の各電気接続端子２における保持部２ａをそれぞれインシュレータ本体部３との間で纏めて挟み付けることにより保持部２ａに対するレーザによる溶着固定を行うための一軸方向に延びた板状の絶縁性インシュレータカバー部１とを備えて構成される点は図９（ａ）〜（ｃ）で説明した従来構造のものと同様であるが、ここでは各電気接続端子２における保持部２ａにあってのインシュレータカバー部１に対する装着部分の近傍にレーザによる溶着固定時にインシュレータカバー部１と当接してインシュレータカバー部１を位置決めすると共に、一軸方向周りの回転を防止するための位置決め片２ｅが一体的に設けられている。
【００１８】
即ち、ここでの各電気接続端子２は、図２に示されるように、インシュレータ本体部３に固定保持される保持部２ａを有する以外、領域Ｅに示される実装部２ｃ側寄りの箇所にインシュレータカバー部１の隣接する２面に当接する当接面Ｍ１，Ｍ２が形成されるように突出した形状の位置決め片２ｅが一体的に設けられている。又、各電気接続端子２におけるその他の形状は、図１０で説明した従来の場合と同様であり、全体形状が略鍵型であって、保持部２ａの一方側より屈曲されて端部がインシュレータ本体部３から露呈されるように延在して相手側の電気接続端子との接続に供される接続部２ｂと、保持部２ａの他方側より屈曲されてインシュレータ本体部３の外壁側の装着部分に立設するように装着される立設部を含むと共に、立設部から屈曲してインシュレータ本体部３の底面と垂直な方向に延在して基板等の導電性パターンに実装接続される実装部２ｃと、保持部２ａからインシュレータ本体部３の底面方向へ立設するように延在してインシュレータ本体部３の装着部分に圧入されるピン状の圧入部とを一体的に有するものとなっている。
【００１９】
この実施例１に係るコネクタの場合、組み付け時に各電気接続端子２の保持部２ａをインシュレータ本体部３に対してインシュレータカバー部１との間で纏めて挟み付けてレーザにより溶着固定して固定保持する構造を持つ他、各電気接続端子２における保持部２ａに設けられた位置決め片２ｅがそれぞれインシュレータカバー部１と当接して位置決めすると共に、その延在方向（一軸方向）周りの回転を防止するように働く。
【００２０】
具体的に言えば、図１（ｃ）の組み付け状態の側面方向における断面図を示す図３を参照すれば、レーザによる溶着固定時にはインシュレータカバー部１の隣接する２つの面にあっての一つの主面（裏面）が各電気接続端子２における保持部２ａの当接面Ｍ２にスライド可能に接触されると共に、もう一つの側面が各電気接続端子２における位置決め片２ｅの当接面Ｍ１に当接して位置決めされる（当接面Ｍ１が基準位置となる）ため、インシュレータカバー部１により各電気接続端子２における保持部２ａを纏めて挟み付けるときの位置決めが適確にして容易に行われる他、インシュレータ本体部３の延在方向周りへの回転（図３中の矢印Ｘ方向、並びに矢印Ｙ方向を示す）が安定して阻止されるようになる。この結果、インシュレータカバー部１や各電気接続端子２が位置ずれを起こしたまま固定保持されたり、或いは各電気接続端子２が外部からの振動等やレーザによる溶着固定時の加熱による変形等でインシュレータ本体部３の延在方向周りへ回転を生じて固定保持状態がまちまちとなること（各電気接続端子２における実装部２ｃが矢印Ｘ方向に回転移動したり、或いは各電気接続端子２における接続部２ｂが矢印Ｙ方向に回転移動すること）が十分に防止され、不良品が作製され難くて歩止まりが良好となる。
【００２１】
即ち、係る構造のコネクタの場合、溶着固定後にはインシュレータカバー部１及び各電気接続端子２が位置ずれを起こすこと無く強固にインシュレータ本体部３に固定されるため、従来構造よりも低コストで機械的強度が優れ、且つ高精度で信頼性の高い小型構造の製品を容易に作製することができる。
【実施例２】
【００２２】
図４は、本発明の実施例２に係るコネクタの基本構造を示した外観斜視図であり、同図（ａ）は要部（インシュレータカバー部１及び各電気接続端子２１の一つ）を分解して示した状態に関するもの，同図（ｂ）は同図（ａ）の要部における一部（インシュレータカバー部１）を分解したまま他部（各電気接続端子２１の一つ）を組み付けた状態に関するもの，同図（ｃ）は同図（ｂ）の一部を組み付けた全体の組み付け状態に関するものである。又、図５は、このコネクタに備えられる電気接続端子２の外観形状を示した側面図である。
【００２３】
このコネクタの場合も、一軸方向に延びた絶縁性の断面略Ｌ字状のインシュレータ本体部３と、インシュレータ本体部３に対して一軸方向に沿って並設されるように装着されて固定保持される保持部２１ａ、並びに保持部２１ａから一軸方向と垂直な方向に延びて相手側の電気接続部との接続に供される接続部を一体的に有する導電性の複数の電気接続端子２１と、インシュレータ本体部３に装着された状態の各電気接続端子２１における保持部２１ａをそれぞれインシュレータ本体部３との間で纏めて挟み付けることにより保持部２１ａに対するレーザによる溶着固定を行うための一軸方向に延びた板状の絶縁性インシュレータカバー部１とを備えて構成される点は、従来構造及び先の実施例１の場合と同様であり、且つここでも実施例１の構造のものと同様に各電気接続端子２１における保持部２１ａにあってのインシュレータカバー部１に対する装着部分の近傍にレーザによる溶着固定時にインシュレータカバー部１と当接してインシュレータカバー部１を位置決めすると共に、一軸方向周りの回転を防止するための位置決め片２１ｅが一体的に設けられている。
【００２４】
但し、ここでの各電気接続端子２１は、図５に示されるように、インシュレータ本体部３に固定保持される保持部２１ａを有する以外、領域Ｅに示される実装部２１ｃ側寄りの箇所にインシュレータカバー部１の隣接する３面に当接する当接面Ｍ１，Ｍ２，Ｍ３が形成され、且つ保持部２１ａとの間で協働してインシュレータカバー部１を挟持可能なように突出して折り曲げられた形状の位置決め片２１ｅが一体的に設けられている。又、各電気接続端子２１におけるその他の形状は、図１０で説明した従来の場合や図２で説明した実施例１の場合と同様であり、全体形状が略鍵型であって、同様な形状機能の接続部２１ｂ，実装部２１ｃ，及び圧入部を一体的に有するものとなっている。
【００２５】
この実施例２に係るコネクタにおいても、組み付け時に各電気接続端子２１の保持部２１ａをインシュレータ本体部３に対してインシュレータカバー部１との間で纏めて挟み付けてレーザにより溶着固定して固定保持する構造を持つ他、実施例１の場合と同様に各電気接続端子２１における保持部２１ａに設けられた位置決め片２１ｅがインシュレータカバー部１と当接して位置決めすると共に、その延在方向（一軸方向）周りの回転を防止するように働く。
【００２６】
具体的に言えば、図４（ｃ）の組み付け状態の側面方向における断面図を示す図６を参照すれば、レーザによる溶着固定時にはインシュレータカバー部１の隣接する３つの面にあっての二つの主面（表裏面）が各電気接続端子２１における保持部２１ａの当接面Ｍ３及びこれに対向する位置決め片２１ｅの当接面Ｍ２の間に挟持されてスライド可能に接触されると共に、もう一つの側面が各電気接続端子２１における位置決め片２１ｅの当接面Ｍ１に当接して位置決めされるように嵌め込まれる形態となる（当接面Ｍ１が基準位置となる）ため、インシュレータカバー部１により各電気接続端子２１における保持部２１ａを纏めて挟み付けるときの位置決めが適確にして容易に行われる他、インシュレータ本体部３の延在方向周りへの回転（図６中の矢印Ｘ方向、並びに矢印Ｙ方向を示す）が極めて安定して阻止されるようになる。この結果、インシュレータカバー部１や各電気接続端子２１が位置ずれを起こしたまま固定保持されたり、或いは各電気接続端子２１が外部からの振動等やレーザによる溶着固定時の加熱による変形等でインシュレータ本体部３の延在方向周りへ回転を生じて固定保持状態がまちまちとなること（各電気接続端子２１における実装部２１ｃが矢印Ｘ方向に回転移動したり、或いは各電気接続端子２１における接続部２１ｂが矢印Ｙ方向に回転移動すること）が十分に防止され、不良品が作製され難くて歩止まりが良好となる。
【００２７】
即ち、係る構造のコネクタの場合においても、溶着固定後にはインシュレータカバー部１及び各電気接続端子２１が位置ずれを起こすこと無く強固にインシュレータ本体部３に固定されるため、従来構造よりも低コストで機械的強度が優れ、且つ高精度で信頼性の高い小型構造の製品を容易に作製することができる。
【００２８】
ところで、各電気接続端子における保持部近傍に位置決め片を設けてインシュレータカバー部１の位置決め、並びにその延在方向周りの回転を防止可能とするための形状は、各実施例で説明した以外にも、例えば図7に示す電気接続端子２２や図８に示す電気接続端子２３の場合のような変形例に係る形態のものに代用しても構わない。
【００２９】
図７に示す電気接続端子２２の場合、インシュレータ本体部３に固定保持される保持部２２ａを有する以外、接続部２２ｂ側寄りの箇所にインシュレータカバー部１の隣接する２面に当接する当接面Ｍ１，Ｍ２が形成されるように突出した形状の位置決め片２２ｅが一体的に設けられている。又、この電気接続端子２２におけるその他の形状は、上述した従来構造並びに各実施例のものと同様であり、全体形状が略鍵型であって、同様な形状機能の接続部２２ｂ，実装部２２ｃ，及び圧入部を一体的に有するものとなっている。即ち、図7に示す電気接続端子２２の場合、先の実施例１に係る電気接続端子２の実装部２ｃ側寄りの箇所に設けられた位置決め片２ｅを接続部２ｂ側寄りの箇所に設けるように変更したものとみなすことができる。
【００３０】
図８に示す電気接続端子２３の場合、インシュレータ本体部３に固定保持される保持部２３ａを有する以外、実装部２３ｃ側寄りと接続部２３ｂ側寄りとの２箇所にインシュレータカバー部１を挟持可能であり、その隣接する３面に当接する当接面Ｍ１，Ｍ２，Ｍ３が形成されるように突出した一対の位置決め片２３ｅ，２３ｅ′が一体的に設けられている。又、この電気接続端子２３におけるその他の形状も、上述した従来構造並びに各実施例のものと同様であり、全体形状が略鍵型であって、同様な形状機能の接続部２３ｂ，実装部２３ｃ，及び圧入部を一体的に有するものとなっている。即ち、図８に示す電気接続端子２３の場合、インシュレータカバー部１における両側面が当接面Ｍ１，Ｍ２の間で挟持され、一主面（裏面）が保持部２３ａ上に接触保持されるため、インシュレータカバー部１がこれらで形成される凹所に嵌合装着される形態とみなすことができる。
【００３１】
因みに、上述した各実施例や各変形例に係るコネクタの作製に際して、溶着固定に用いるレーザの波長としては、８００〜１１００［ｎｍ］の範囲で選定することが望ましい。又、レーザ樹脂溶着を行う場合、インシュレータカバー部１にはレーザを透過する樹脂材料を用い、インシュレータ本体部３にはレーザを吸収する樹脂材料を用いれば良く、更にレーザ樹脂溶着を熱可塑性樹脂（ＬＣＰ）で行う場合、インシュレータカバー部１には自然色の樹脂材料を用い、インシュレータ本体部３には黒色の樹脂材料を用いるようにすれば良い。更に、インシュレータカバー部１の板厚は、０．２〜０．３［ｍｍ］程度の薄いものを用いた方がレーザの透過率が高く、溶着強度が強くなるために好ましい。
【００３２】
尚、上述した各実施例や各変形例に係るコネクタでは、各電気接続端子２，２１，２２，２３がインシュレータ本体部３の延在方向に沿って一列で高密度で並設される構造のものとして説明したが、例えば各電気接続端子２，２１，２２，２３の寸法形状やインシュレータ本体部３における各電気接続端子２，２１，２２，２３の保持部２ａ，２１ａ，２２ａ，２３ａを装着するための装着部の寸法形状を工夫して段差を持たせる等により各電気接続端子２，２１，２２，２３を複数列で段構成した構造のものを対象としても本願発明の技術的要旨は適用することができる。
【図面の簡単な説明】
【００３３】
【図１】本発明の実施例１に係るコネクタの基本構造を示した外観斜視図であり、（ａ）は要部を分解して示した状態に関するもの，（ｂ）は（ａ）の要部における一部を分解したまま他部を組み付けた状態に関するもの，（ｃ）は（ｂ）の一部を組み付けた全体の組み付け状態に関するものである。
【図２】図１に示すコネクタに備えられる電気接続端子の外観形状を示した側面図である。
【図３】図１（ｃ）の組み付け状態での電気接続端子に働くインシュレータ本体部の延在方向周りの回転動の様子を説明するために示した側面方向における断面図である。
【図４】本発明の実施例２に係るコネクタの基本構造を示した外観斜視図であり、（ａ）は要部を分解して示した状態に関するもの，（ｂ）は（ａ）の要部における一部を分解したまま他部を組み付けた状態に関するもの，（ｃ）は（ｂ）の一部を組み付けた全体の組み付け状態に関するものである。
【図５】図４に示すコネクタに備えられる電気接続端子の外観形状を示した側面図である。
【図６】図４（ｃ）の組み付け状態での電気接続端子に働くインシュレータ本体部の延在方向周りの回転動の様子を説明するために示した側面方向における断面図である。
【図７】本発明のコネクタとして適用可能な他の変形例に係る電気接続端子の外観形状を示した側面図である。
【図８】本発明のコネクタとして適用可能な別の変形例に係る電気接続端子の外観形状を示した側面図である。
【図９】従来のコネクタの基本構造を示した外観斜視図であり、（ａ）は要部を分解して示した状態に関するもの，（ｂ）は（ａ）の要部における一部を分解したまま他部を組み付けた状態に関するもの，（ｃ）は（ｂ）の一部を組み付けた全体の組み付け状態に関するものである。
【図１０】図９に示すコネクタに備えられる電気接続端子の外観形状を示した側面図である。
【図１１】図９（ｃ）の組み付け状態での電気接続端子に働くインシュレータ本体部の延在方向周りの回転動の様子を説明するために示した側面方向における断面図である。
【符号の説明】
【００３４】
１    インシュレータカバー部
２，２１，２２，２３，２００    電気接続端子
２ａ，２１ａ，２２ａ，２３ａ，２００ａ    保持部
２ｂ，２１ｂ，２２ｂ，２３ｂ，２００ｂ    接続部
２ｃ，２１ｃ，２２ｃ，２３ｃ，２００ｃ    実装部
２ｅ，２１ｅ，２２ｅ，２３ｅ    位置決め片
３    インシュレータ本体部
【図１】
2005243460.tif 000003
【図２】
2005243460.tif 000004
【図３】
2005243460.tif 000005
【図４】
2005243460.tif 000006
【図５】
2005243460.tif 000007
【図６】
2005243460.tif 000008
【図７】
2005243460.tif 000009
【図８】
2005243460.tif 000010
【図９】
2005243460.tif 000011
【図１０】
2005243460.tif 000012
【図１１】
2005243460.tif 000013